(57)【要約】【課題】容易に設置することができ、且つ椅子としての用途以外にも他の用途を併せ持つ折り畳み椅子を提供する。【解決手段】土間等に設置されるベース３と、ベース３に設けられ上方に立ち上がった支持部５と、座板３３と、ベース３に設けられた傘立て部４１とを備える。支持部５には高さの異なる手摺り部１３、１５が設けられている。座板３３は支持部５に対して回動自在に支持されており、椅子として使用しない場合には座板３３が垂直に押し上げられてマグネット式固定具１９と鉄片３７との吸着により安定的に収納姿勢で固定されるので邪魔にならない。折り畳み椅子１は椅子として使用できるだけでなく、傘立てとしてや手摺りとしても使用できる。【選択図】        図１
2010167116.tif 000002
【特許請求の範囲】
【請求項１】
土間等に設置されるベースと、前記ベースに設けられ上方に立ち上がった支持部と、座板と、前記座板を前記支持部に対して略水平となる収納姿勢と略垂直となる引出し姿勢とに動作可能に支持する座板支持手段と、前記座板支持手段によって支持された座板を収納姿勢と引出し姿勢とにおいて固定する座板固定手段と、前記ベースに設けられた傘立て部とを備えることを特徴とする折り畳み椅子。
【請求項２】
請求項１に記載した折り畳み椅子において、支持部はベースから上方に立ち上がる一対の垂直部と前記一対の垂直部の上端を繋ぐ水平連結部を有する略左右対称のフレーム体で構成されていることを特徴とする折り畳み椅子。
【請求項３】
請求項１または２に記載した折り畳み椅子において、支持部の垂直部を挟んで座板の引き出し側とは反対側に傘立て部が備えられていることを特徴とする折り畳み椅子。
【請求項４】
請求項１から３のいずれかに記載した折り畳み椅子において、傘立て部は傘が上方から差し込まれる円筒管と、前記円筒管の下方に設けられ差し込まれた傘の石突を受け止める容器状の受け部とを有しており、前記円筒管には下方に向かって徐々に内径寸法が小さくなる縮径部分が設けられていることを特徴とする折り畳み椅子。
【請求項５】
請求項１から４のいずれかに記載した折り畳み椅子において、支持部が手摺り部を備えていることを特徴とする折り畳み椅子。
【請求項６】
請求項５に記載した折り畳み椅子において、高さの異なる手摺り部が複数設けられていることを特徴とする折り畳み椅子。
【発明の詳細な説明】
【技術分野】
【０００１】
本発明は、折り畳み椅子に関し、特に、玄関等の土間に置いて利用することができる折り畳み椅子に関するものである。
【背景技術】
【０００２】
履物を履いたり脱いだりする場合には腰掛けて行うのが楽であり、特に足腰が弱っている人は椅子に腰掛けて履物を履いたり脱いだりするのが楽である。そこで、特許文献１に記載された壁収納式折り畳み椅子が開発されている。
【先行技術文献】
【特許文献】
【０００３】
【特許文献１】特開２００５−１２５０５７号公報
【発明の概要】
【発明が解決しようとする課題】
【０００４】
しかしながら、特許文献１の壁収納式折り畳み椅子は、玄関の壁に格納凹部を設けて設置する必要があるため、壁収納式折り畳み椅子を設置する場合には壁を削る工事を行わなければならない。また、特許文献１の壁収納式折り畳み椅子は、設置するのに適当な壁が無い場合には設置できない。そのため、容易に設置することはできない。
しかも、特許文献１の壁収納式折り畳み椅子は、椅子としての用途しか有しておらず、わざわざ工事をして設置する割には使用頻度が低かった。
【０００５】
本発明は、上記従来の問題点に着目して為されたものであり、容易に設置することができ、且つ椅子としての用途以外にも他の用途を併せ持つ折り畳み椅子を提供することを目的とする。
【課題を解決するための手段】
【０００６】
本発明は上記課題を解決するためになされたものであり、請求項１の発明は、土間等に設置されるベースと、前記ベースに設けられ上方に立ち上がった支持部と、座板と、前記座板を前記支持部に対して略水平となる収納姿勢と略垂直となる引出し姿勢とに動作可能に支持する座板支持手段と、前記座板支持手段によって支持された座板を収納姿勢と引出し姿勢とにおいて固定する座板固定手段と、前記ベースに設けられた傘立て部とを備えることを特徴とする折り畳み椅子である。
【０００７】
請求項２の発明は、請求項１に記載した折り畳み椅子において、支持部はベースから上方に立ち上がる一対の垂直部と前記一対の垂直部の上端を繋ぐ水平連結部を有する略左右対称のフレーム体で構成されていることを特徴とする折り畳み椅子である。
【０００８】
請求項３の発明は、請求項１または２に記載した折り畳み椅子において、支持部の垂直部を挟んで座板の引き出し側とは反対側に傘立て部が備えられていることを特徴とする折り畳み椅子である。
【０００９】
請求項４の発明は、請求項１から３のいずれかに記載した折り畳み椅子において、傘立て部は傘が上方から差し込まれる円筒管と、前記円筒管の下方に設けられ差し込まれた傘の石突を受け止める容器状の受け部とを有しており、前記円筒管には下方に向かって徐々に内径寸法が小さくなる縮径部分が設けられていることを特徴とする折り畳み椅子。
【００１０】
請求項５の発明は、請求項１から４のいずれかに記載した折り畳み椅子において、支持部が手摺り部を備えていることを特徴とする折り畳み椅子である。
【００１１】
請求項６の発明は、請求項５に記載した折り畳み椅子において、高さの異なる手摺り部が複数設けられていることを特徴とする折り畳み椅子。
【発明の効果】
【００１２】
本発明の折り畳み椅子によれば、容易に設置することができ、しかも椅子以外の用途も有する。
【図面の簡単な説明】
【００１３】
【図１】本発明の第１の実施の形態に係る折り畳み椅子の斜視図である。
【図２】図１の折り畳み椅子を反対から見た斜視図である。
【図３】図１の折り畳み椅子の収納姿勢と引出し姿勢との間の状態の断面図である。
【図４】図１の折り畳み椅子において座板の収納姿勢のときの折り畳み椅子の側面図である。
【図５】本発明の第２の実施の形態に係る折り畳み椅子の斜視図である。
【発明を実施するための形態】
【００１４】
本発明の第１の実施の形態に係る折り畳み椅子１を図１から図４にしたがって説明する。
符号３はベースを示し、このベース３は平板状に形成されている。ベース３は土間等に設置される。
ベース３には支持部５が取付けられている。この支持部５はベース３から上方に立ち上がっている。支持部５は鉄製パイプ材でフレーム状に構成されており、図１の右前側から見て略左右対称になっている。
【００１５】
支持部５はベース３から上方に立ち上がる一対の垂直部７と、この一対の垂直部７の上端を繋ぐ水平連結部９を有する。
各垂直部７は途中部分で横向きＵ字状に屈曲された屈曲部分１１が形成されている。各屈曲部分１１は後述する座板３３の引き出し方向側に張り出している。各屈曲部分１１のうち上下に形成された水平部がそれぞれ手摺り部１３、１５を構成している。すなわち、支持部５には高さの異なる手摺り部１３、１５が設けられていることになる。
【００１６】
符合１７は水平線材を示し、この水平線材１７は支持部５を構成する一対の垂直部７間に横架されている。水平線材１７は水平連結部９の下側に平行に配置されている。
水平線材１７の略中央部にはマグネット式固定具１９が取り付けられており、このマグネット式固定具１９のマグネットは後述する座板３３の引き出し方向側を向いている。
【００１７】
符号２１は横長の取付部材を示し、この取付部材２１の両端が一対の垂直部７、７にそれぞれ連結されて固定されている。取付部材２１は、屈曲部分１１の下側に配置されている。
【００１８】
図２の符号２７、２７は一対の座板取付アームを示し、各座板取付アーム２７の一端部は互いに間隔をおいて、取付部材２１に対して固定された支持軸２２に軸支されており、支持部５に対して回動自在になっている。符号２９、２９は一対の脚体を示し、各脚体２９の一端部は各座板取付アーム２７の他端部にピン２３を介して回動自在に連結されている。また、一対の脚体２９、２９は２本の連結棒３０を介して互いに平行になるよう連結されて一体になっている。各脚体２９の他端部にはネジによって出入りするアジャスター３１が取り付けられている。
【００１９】
符号３３は平板状の座板を示し、この座板３３の裏面に一対の座板取付アーム２７が取り付けられている。前述したように、各座板取付アーム２７は支持部５に対して回動自在に支持されているため、座板３３は支持部５に対して略水平となる収納姿勢と略垂直となる引出し姿勢とに動作可能に支持されている。
取付部材２１、支持軸２２及び座板取付アーム２７によって座板支持手段が構成されている。
【００２０】
図３に示す符号３４は１本の離間アームを示し、離間アーム３４は一対の座板取付アーム２７、２７の下方に側方視平行になるように設けられている。離間アーム３４の一端側に固定された取付軸２４は取付部材２１に固定された油圧ダンパー２５の図示しない嵌合部に嵌め込まれて連結される。離間アーム３４の他端側にはシャフト２６が貫通され固定されており、このシャフト２６が一対の脚体２９、２９に回転自在に通されている。従って、離間アーム３４は、座板取付アーム２７、２７と平行リンク機構を構成している。
一対の脚体２９、２９と、離間アーム３４等とによって、座板３３を引出し姿勢に固定する座板固定手段が構成されている。
【００２１】
一対の脚体２９、２９の前面には平板状の前板３５が取り付けられており、この前板３５の背面の上端部には鉄片３７が取り付けられている。鉄片３７はマグネット式固定具１９と座板３３の収納時に対応する位置に設けられている。
上記した鉄片３７と支持部５に取付けられたマグネット式固定具１９によって座板３３を収納姿勢に固定する座板固定手段が構成されている。
【００２２】
符号４１は傘立て部を示し、この傘立て部４１はベース３に設けられている。傘立て部４１は支持部５の垂直部７を挟んで座板３３の引出し側とは反対側に備えられている（図２参照）。傘立て部４１は５つの円筒管４３と、５つの受け部４５とを有している。５つの円筒管４３は取付部材２１の背面に左右方向に横一列に並ぶように取り付けられている。各円筒管４３は内径寸法が同じ同径部分４６の下側に下方に向かって徐々に内径寸法が小さくなる縮径部分４７が連設されている。ベース３上に５つの受け部４５が横一列に並ぶように固定されている。円筒管４３と受け部４５は上下に一対一対応になるように配置されている。
【００２３】
次に座板３３の収納姿勢と引出し姿勢との間の動作について図３にしたがって説明する。
引出し姿勢から収納姿勢に変わるときは以下のように動作する。
すなわち、前板３５を持ち上げながら後方向（図３では右方）に押すと、座板３３は時計回りに回動し、これと同時に座板取付アーム２７と平行を保ったまま離間アーム３４が回動する。そして、鉄片３７がマグネット式固定具１９に接触して、マグネット式固定具１９と鉄片３７は吸着した状態となり、座板３３は安定した収納姿勢となる。図４に示す折り畳み椅子１は座板３３が収納姿勢となっており、マグネット式固定具１９と鉄片３７は吸着した状態となっている。
収納姿勢から引出し姿勢に変わるときには以下のように動作する。すなわち、前板３５を前方向（図３では左方）に引き、マグネット式固定具１９と鉄片３７の吸着を外す。更に前板３５を前方向に引きながら下ろすと、座板３３は反時計回りに回動し、これと同時に座板取付アーム２７と平行を保ったまま離間アーム３４が回動する。そして、アジャスター３１が床に着き、座板３３は安定した引出し姿勢となる。図１に示す折り畳み椅子１は引出し姿勢となる。
【００２４】
次に折り畳み椅子１の使用方法について説明する。
図１に示すように折り畳み椅子１を玄関の土間Ｄに置いて設置する。
折り畳み椅子１を椅子として使用する場合は、座板３３を引出し姿勢にする。この座板３３に腰を掛けることで履物を履いたり脱いだりするのが非常に楽に行うことができる。そして、手摺り部１３、１５のうち適当な高さのものを掴めば、楽に立ち上がることができる。
椅子として使用しない場合には、図４に示すように座板３３を立たせて収納姿勢にしておく。このようにすれば、折り畳み椅子１は全体としてとてもコンパクトな状態となり邪魔にならない。しかも、座板３３を収納姿勢にしておいても、手摺り部１３、１５は何ら問題なく使用できる。従って、上がり口Ａで座って靴を履いた後手摺り部１３、１５を掴んで楽に立ち上がることができる。
【００２５】
また折り畳み椅子１は傘立て部４１を有しているため、傘立てとして使用することができる。傘立てとして使用する場合は、傘Ｋを円筒管４３に上方から差し込んで石突を受け部４５に当てる。これにより傘Ｋは傘立て部４１に立った状態で保持される。なお、傘Ｋに水が付着していても、傘Ｋが円筒管４３の縮径部分４７に通過する際に下方に押出されて落下する。落下した水は受け部４５に溜まる。
【００２６】
本発明の第２の実施の形態に係る折り畳み椅子５１を図５にしたがって説明する。
第１の実施の形態に係る折り畳み椅子１と同じ構成部分は同じ符号を付すことで説明を省略する。
この折り畳み椅子５１の支持部５３は木製になっており、支持部５３はベース３から上方に立ち上がる板状の一対の垂直部５５、５５と、この一対の垂直部５５、５５の上部側を繋ぐ板状の水平連結部５７と丸棒状の水平連結部５９とでフレーム状に構成されている。
【００２７】
支持部５３の形状は支持部５と異なるので、取付部材６１の形状も取付部材２１と異なっているが、取付部材６１の両端が一対の垂直部５５、５５にそれぞれ連結されて固定されている点は取付部材２１と同じであり、折り畳み椅子１の座板支持手段を構成する支持軸２２等その他の部材によって、この折り畳み椅子５１の座板３３も支持部５３に対して支持されている。
【００２８】
折り畳み椅子５１を椅子として使用しない場合には、座板３３を立たせて収納姿勢にしておく。そして、支持部５３に取り付けられているマグネット式固定具１９に前板３５の背面に取付けられた鉄片を吸着させることで座板３３を固定する。
この折り畳み椅子５１の支持部５３には手摺りは設けられておらず、その分だけ座板３３を収納姿勢にしたときによりコンパクトな状態となる。また、支持部５３が木製なので鉄製に比べて安価に製造できる。
【００２９】
以上、本発明の実施の形態について詳述してきたが、具体的構成は、この実施の形態に限られるものではなく、本発明の要旨を逸脱しない範囲における設計の変更などがあっても発明に含まれる。
例えば、上記第１の実施の形態では、手摺り部を左右対称に設けたが、非対称にしてもよい。
【産業上の利用可能性】
【００３０】
本発明の折り畳み椅子は、椅子として用いることができるだけでなく、更に傘立てや手摺りとして用いることもできる。
【符号の説明】
【００３１】
１  …  折り畳み椅子（第１の実施の形態）
３  …  ベース                        ５  …  支持部
７  …  垂直部                        ９  …  水平連結部
１１  …  屈曲部分                    １３、１５  …  手摺り部
１７  …  水平線材                    １９  …  マグネット式固定具
２１  …  取付部材                    ２２  …  支持軸
２７  …  座板取付アーム              ２９  …  脚体
３１  …  アジャスター                ３３  …  座板
３４  …  離間アーム                  ３５  …  前板
３７  …  鉄片                        ４１  …  傘立て部
４３  …  円筒管                      ４５  …  受け部
４６  …  同径部分                    ４７  …  縮径部分
５１  …  折り畳み椅子（第２の実施の形態）
５３  …  支持部                      ５５  …  垂直部
５７、５９  …  水平連結部            ６１  …  取付部材
【図１】
2010167116.tif 000003
【図２】
2010167116.tif 000004
【図３】
2010167116.tif 000005
【図４】
2010167116.tif 000006
【図５】
2010167116.tif 000007